(57)【特許請求の範囲】
【請求項１】
底部と、前記底部から上方に立上る一対の側壁部とが形成された折畳み型の小便器設置具において、
前記小便器設置具は、左右方向中央に垂直の第一折り目が形成された前記一対の側壁部と、前記一対の側壁部の一方の側壁部の下端に水平の第二折り目を介して一体に形成された前記底部とが一つのシート状の板状体から形成されており、
前記一対の側壁部の上下方向中間には、前記第一折り目を平面状に展開した状態で、円弧が下方に突出する円弧状の一対の第一帯状切れ目と、前記一対の第一帯状切れ目の左右端部の縦方向の一対の第三折り目と、前記一対の第一帯状切れ目及び前記一対の第三折り目により区画された第一帯状部と、前記第一帯状部の左右方向中央の垂直の第四折り目とが形成されており、
前記底部と、前記一対の側壁部の他方の側壁部の下端部とは、第五折り目及び固着部により固着されているとともに、前記第五折り目及び固着部は、前記他方の側壁部の下端部又は前記他方の側壁部側における前記底部の端部に形成されており、
前記底部は、前記第一折り目の下端から前記底部の角の二等分線上に折畳み用の第六折り目が形成されており、
前記一対の第三折り目の上端部近傍における前記各側壁部に、合成樹脂製の尿収納袋の開口の一対の左右端部を挿通固定可能な一対の第一左右固定部と、前記第一左右固定部よりも上方における前記第一折り目近傍の前記側壁部に、前記尿収納袋の開口の中央部を挿通固定可能な第一中央固定部とを備えており、
前記第一折り目、前記第二折り目、前記第三折り目及び前記第五折り目を谷折りとし、前記第四折り目を山折りとしたことを特徴とする折畳み型の小便器設置具。
【請求項２】
底部と、前記底部から上方に立上る一対の側壁部とが形成された折畳み型の小便器設置具において、
前記小便器設置具は、左右方向中央に垂直の第一折り目が形成された前記一対の側壁部と、前記一対の側壁部の各下端に水平の第七折り目を介して一体に形成された一対の分割底部とが一つのシート状の板状体から形成されており、
前記一対の側壁部の上下方向中間には、前記第一折り目を平面状に展開した状態で、円弧が下方に突出する円弧状の一対の第一帯状切れ目と、前記一対の第一帯状切れ目の左右端部の縦方向の一対の第三折り目と、前記一対の第一帯状切れ目及び前記一対の第三折り目により区画された第一帯状部と、前記第一帯状部の左右方向中央の垂直の第四折り目とが形成されており、
前記一対の分割底部は、一体に固着されて前記底部を形成しているとともに、前記第一折り目の下端から前記底部の角の二等分線上に折畳み用の第六折り目が形成されており、
前記一対の第三折り目の上端部近傍における前記各側壁部に、合成樹脂製の尿収納袋の開口の一対の左右端部を挿通固定可能な一対の第一左右固定部と、前記第一左右固定部よりも上方における前記第一折り目近傍の前記側壁部に、前記尿収納袋の開口の中央部を挿通固定可能な第一中央固定部とを備えており、
前記第一折り目、前記第三折り目及び前記第七折り目を谷折りとし、前記第四折り目を山折りとしたことを特徴とする折畳み型の小便器設置具。
【請求項３】
前記第一帯状部の下方における前記一対の側壁部には、前記第一折り目を平面状に展開した状態で、円弧が下方に突出する円弧状の一対の第二帯状切れ目と、前記一対の第二帯状切れ目の左右端部の縦方向の一対の第八折り目と、前記一対の第二帯状切れ目及び前記一対の第八折り目により区画された第二帯状部と、前記第二帯状部の左右方向中央の垂直の第九折り目とが形成されており、
前記一対の第八折り目の前記側壁部における位置は、前記一対の第三折り目の前記側壁部における位置よりも前記第一折り目側としており、
前記第二帯状部は、前記第九折り目を山折りとした状態で前記尿収納袋を案内可能としていることを特徴とする請求項１又は請求項２に記載の折畳み型の小便器設置具。
【請求項４】
前記第一帯状部の下方における前記一対の側壁部には、前記第一折り目を平面状に展開した状態で、円弧が下方に突出する円弧状の一対の第二帯状切れ目と、前記一対の第二帯状切れ目の左右端部の縦方向の一対の第八折り目と、前記一対の第二帯状切れ目及び前記一対の第八折り目により区画された第二帯状部と、前記第二帯状部の左右方向中央の垂直の第九折り目とが形成されており、
前記一対の第八折り目の上端部近傍における前記各側壁部に、前記尿収納袋の開口の一対の左右端部を挿通固定可能な一対の第二左右固定部と、前記第二左右固定部よりも上方における前記第一折り目近傍の前記側壁部に、前記尿収納袋の開口の中央部を挿通固定可能な第二中央固定部とを備えており、
前記第八折り目を谷折りとし、前記第九折り目を山折りとし、前記一対の第三折り目を折らない状態として前記尿収納袋の開口を低い位置に調整可能としたことを特徴とする請求項１又は請求項２に記載の折畳み型の小便器設置具。
【請求項５】
前記一対の第三折り目の位置よりも内側下方における前記底部に、前記一対の側壁部の各下端を通る所定幅の一対の第一底部切れ目と、前記一対の第一底部切れ目の内方端部から直角方向の一対の第二底部切れ目と、前記一対の第二底部切れ目の当接点から外側方向の請求項１又は請求項２に記載の二等分線上に、第三底部切れ目と、前記第三底部切れ目の外側端部から前記一対の第二底部切れ目と平行に一対の第十折り目とを形成し、
前記一対の第十折り目を谷折りとして前記底部に前記尿収納袋の下部を案内する下部案内部を形成可能としたことを特徴とする請求項１〜請求項４のいずれかに記載の折畳み型の小便器設置具。
【請求項６】
前記第一折り目及び前記第六折り目を折畳み、前記一対の側壁部を重ね合わせた状態で、前記一対の側壁部に水平の第十一折り目を形成したことを特徴とする請求項１〜請求項５のいずれかに記載の折畳み型の小便器設置具。
【請求項７】
前記一対の側壁部は、前記第一折り目を角部として８０度〜１００度で立設されていることを特徴とする請求項１〜請求項６のいずれかに記載の折畳み型の小便器設置具。
【請求項８】
前記シート状の板状体はシート状の紙製の段ボールであることを特徴とする請求項１〜請求項７のいずれかに記載の折畳み型の小便器設置具。
【請求項９】
前記一対の第一左右固定部及び前記第一中央固定部は、穴と切込とから形成したことを特徴とする請求項１〜請求項３のいずれかに記載の折畳み型の小便器設置具。
【発明の詳細な説明】
【技術分野】
【０００１】
本発明は、地震などの非常時に折畳んだ状態からワンタッチで使用可能にする折畳み型の小便器設置具に関する技術であり、特に、左右方向中央に垂直の第一折り目が形成された一対の側壁部と、底部とを備え、所定の折り目と切れ目とを形成して、一つのシート状の板状体から折畳み型の小便器設置具とした技術である。
【背景技術】
【０００２】
東北地方太平洋沖地震による東日本大震災に伴う未曽有の混乱から、首都直下地震や南海トラフ巨大地震等を想定し、大地震発生時には多数の帰宅困難者が発生する可能性があり、企業等は発災後３日間程度従業員等を施設内に待機させる必要性を指摘されている。
そして、従業員等が施設内に留まれるように、３日分の水、食料等の備蓄は勿論のこと、簡易トイレの備蓄の必要性も指摘されている。
【０００３】
非常時のトイレの備蓄の必要性については、上水道の断水や、上下水道施設の被災により、水洗便器が使用できなくなるためである。
そこで、従来、非常時用として水洗便器に汚物収納袋をセットして用便後に凝固剤を添加し利用者が利用ごとに汚物収納袋を廃棄する非常時用の男女兼用トイレが公知である。
【０００４】
しかしながら、災害時の企業、公共機関の施設には、通常よりも多数の帰宅困難者が押し寄せ、男性用の小便器は、上下水道の不通により使用不能であるため、トイレが混雑して順番待ちの時間が長くなる。
そこで、従来、非常時用やイベント用の組立式小便器が各種提案されている（例えば、特許文献１〜４参照）。
【０００５】
従来、このように非常時用小便器を設置するのは、帰宅困難者が待機する施設における男性用トイレの個室大便器を女性にも利用可能として、混雑の解消を図るためである。
そして、従来の組立式小便器は、段ボールを用いた複数のシートを組み立てて小便器として使用することができるようにしている。
【０００６】
従来の組立式小便器としては、特許文献１には、小便器と、仕切り壁板と、底板と、用便袋投入口とをそれぞれ段ボールで形成して折畳んで保管できるようにして、使用時に組み立てて使用するようにしたものが記載されている。
また、特許文献２には、自立した壁面を構成する板状体と、小便受け体を固定する板状体と、小便受け体とを段ボールで形成し、使用時に接着剤で３つの部材を固定して小便受け容器を取付けるようにした組立式簡易小便器が記載されている。
【０００７】
さらに、特許文献３には、折曲げることにより溝部を形成した尿収納袋を取付ける正面板と、正面板の溝部の両端を塞ぐ左右側板とをプラスチック段ボールで形成し、面ファスナー等を使用して組立てるようにした簡易男子トイレが記載されている。
また、特許文献４には、衝立板と、小便器と、ホースと、タンクから構成され、衝立板が谷折りされることで自立するが、衝立板の上下に連結体が設けられ連結体を連結してガムテープなどで固定するようにした組立式簡易小便器が記載されている。
【先行技術文献】
【特許文献】
【０００８】
【特許文献１】特開２００９−２３３３３６号公報（図１〜図６参照）
【特許文献２】特開２００７−２０２７５５号公報（図１〜図４参照）
【特許文献３】実用新案登録第３１６９３１１号公報（図１〜図３参照）
【特許文献４】特開２０１５−１４２６３５号公報（図１〜図４参照）
【発明の概要】
【発明が解決しようとする課題】
【０００９】
特許文献１に記載の組立式小便器は、小便器と、仕切り壁板と、底板と、用便袋投入口とを非常時に組立てる必要があり、組立が煩雑であるとともに、さらに複数を連結した連結タイプであるために設置場所の制約があるという課題があった。
特許文献２に記載の組立式簡易小便器は、非常時に接着剤で３つの部材を固定して組み立てる必要があり、接着等の組立に時間がかかり煩雑であるとともに使用時の足置き用の底面がなく、設置床面が汚れるという課題があった。
【００１０】
特許文献３に記載の簡易男子トイレは、部品点数が多く高価であるとともに、非常時に面ファスナー等を使用して組立てる必要があり、組立が煩雑であり、また、使用時の足置き用の底面がなく、設置床面が汚れるという課題があった。
特許文献４に記載の組立式簡易小便器は、花火大会や屋外コンサートなどのようにトイレ施設の無い場所でのイベントにおいて、組立てて使用できるようにしているが、イベント用であれば準備にある程度の余裕があるが、非常時用に転用した場合、ガムテープ等による組立に時間がかかり煩雑であるとともに使用時の足置き用の底面がなく、設置床面が汚れるという課題があった。
【００１１】
本発明は、従来の組立式小便器の課題を解決するために、地震などの非常時に折畳んだ状態からワンタッチで使用可能にする折畳み型の小便器設置具を提供することを目的としている。
【課題を解決するための手段】
【００１２】
請求項１に係る本発明の折畳み型の小便器設置具は、底部と、前記底部から上方に立上る一対の側壁部とが形成された折畳み型の小便器設置具において、
前記小便器設置具は、左右方向中央に垂直の第一折り目が形成された前記一対の側壁部と、前記一対の側壁部の一方の側壁部の下端に水平の第二折り目を介して一体に形成された前記底部とが一つのシート状の板状体から形成されており、
前記一対の側壁部の上下方向中間には、前記第一折り目を平面状に展開した状態で、円弧が下方に突出する円弧状の一対の第一帯状切れ目と、前記一対の第一帯状切れ目の左右端部の縦方向の一対の第三折り目と、前記一対の第一帯状切れ目及び前記一対の第三折り目により区画された第一帯状部と、前記第一帯状部の左右方向中央の垂直の第四折り目とが形成されており、
前記底部と、前記一対の側壁部の他方の側壁部の下端部とは、第五折り目及び固着部により固着されているとともに、前記第五折り目及び固着部は、前記他方の側壁部の下端部又は前記他方の側壁部側における前記底部の端部に形成されており、
前記底部は、前記第一折り目の下端から前記底部の角の二等分線上に折畳み用の第六折り目が形成されており、
前記一対の第三折り目の上端部近傍における前記各側壁部に、合成樹脂製の尿収納袋の開口の一対の左右端部を挿通固定可能な一対の第一左右固定部と、前記第一左右固定部よりも上方における前記第一折り目近傍の前記側壁部に、前記尿収納袋の開口の中央部を挿通固定可能な第一中央固定部とを備えており、
前記第一折り目、前記第二折り目、前記第三折り目及び前記第五折り目を谷折りとし、前記第四折り目を山折りとしたものである。
【００１３】
請求項２に係る本発明の折畳み型の小便器設置具は、底部と、前記底部から上方に立上る一対の側壁部とが形成された折畳み型の小便器設置具において、
前記小便器設置具は、左右方向中央に垂直の第一折り目が形成された前記一対の側壁部と、前記一対の側壁部の各下端に水平の第七折り目を介して一体に形成された一対の分割底部とが一つのシート状の板状体から形成されており、
前記一対の側壁部の上下方向中間には、前記第一折り目を平面状に展開した状態で、円弧が下方に突出する円弧状の一対の第一帯状切れ目と、前記一対の第一帯状切れ目の左右端部の縦方向の一対の第三折り目と、前記一対の第一帯状切れ目及び前記一対の第三折り目により区画された第一帯状部と、前記第一帯状部の左右方向中央の垂直の第四折り目とが形成されており、
前記一対の分割底部は、一体に固着されて前記底部を形成しているとともに、前記第一折り目の下端から前記底部の角の二等分線上に折畳み用の第六折り目が形成されており、
前記一対の第三折り目の上端部近傍における前記各側壁部に、合成樹脂製の尿収納袋の開口の一対の左右端部を挿通固定可能な一対の第一左右固定部と、前記第一左右固定部よりも上方における前記第一折り目近傍の前記側壁部に、前記尿収納袋の開口の中央部を挿通固定可能な第一中央固定部とを備えており、
前記第一折り目、前記第三折り目及び前記第七折り目を谷折りとし、前記第四折り目を山折りとしたものである。
【００１４】
請求項３に係る本発明の折畳み型の小便器設置具は、請求項１又は請求項２に係る本発明の折畳み型の小便器設置具の構成に加え、前記第一帯状部の下方における前記一対の側壁部には、前記第一折り目を平面状に展開した状態で、円弧が下方に突出する円弧状の一対の第二帯状切れ目と、前記一対の第二帯状切れ目の左右端部の縦方向の一対の第八折り目と、前記一対の第二帯状切れ目及び前記一対の第八折り目により区画された第二帯状部と、前記第二帯状部の左右方向中央の垂直の第九折り目とが形成されており、
前記一対の第八折り目の前記側壁部における位置は、前記一対の第三折り目の前記側壁部における位置よりも前記第一折り目側としており、
前記第二帯状部は、前記第九折り目を山折りとした状態で前記尿収納袋を案内可能としているものである。
【００１５】
請求項４に係る本発明の折畳み型の小便器設置具は、請求項１又は請求項２に係る本発明の折畳み型の小便器設置具の構成に加え、前記第一帯状部の下方における前記一対の側壁部には、前記第一折り目を平面状に展開した状態で、円弧が下方に突出する円弧状の一対の第二帯状切れ目と、前記一対の第二帯状切れ目の左右端部の縦方向の一対の第八折り目と、前記一対の第二帯状切れ目及び前記一対の第八折り目により区画された第二帯状部と、前記第二帯状部の左右方向中央の垂直の第九折り目とが形成されており、
前記一対の第八折り目の上端部近傍における前記各側壁部に、前記尿収納袋の開口の一対の左右端部を挿通固定可能な一対の第二左右固定部と、前記第二左右固定部よりも上方における前記第一折り目近傍の前記側壁部に、前記尿収納袋の開口の中央部を挿通固定可能な第二中央固定部とを備えており、
前記第八折り目を谷折りとし、前記第九折り目を山折りとし、前記一対の第三折り目を折らない状態として前記尿収納袋の開口を低い位置に調整可能としたものである。
【００１６】
請求項５に係る本発明の折畳み型の小便器設置具は、請求項１〜請求項４のいずれかに係る本発明の折畳み型の小便器設置具の構成に加え、前記一対の第三折り目の位置よりも内側下方における前記底部に、前記一対の側壁部の各下端を通る所定幅の一対の第一底部切れ目と、前記一対の第一底部切れ目の内方端部から直角方向の一対の第二底部切れ目と、前記一対の第二底部切れ目の当接点から外側方向の請求項１又は請求項２に記載の二等分線上に、第三底部切れ目と、前記第三底部切れ目の外側端部から前記一対の第二底部切れ目と平行に一対の第十折り目とを形成し、
前記一対の第十折り目を谷折りとして前記底部に前記尿収納袋の下部を案内する下部案内部を形成可能としたものである。
【００１７】
請求項６に係る本発明の折畳み型の小便器設置具は、請求項１〜請求項５のいずれかに係る本発明の折畳み型の小便器設置具の構成に加え、前記第一折り目及び前記第六折り目を折畳み、前記一対の側壁部を重ね合わせた状態で、前記一対の側壁部に水平の第十一折り目を形成したものである。
【００１８】
請求項７に係る本発明の折畳み型の小便器設置具は、請求項１〜請求項６のいずれかに係る本発明の折畳み型の小便器設置具の構成に加え、一対の側壁部は、前記第一折り目を角部として８０度〜１００度で立設されているものである。
【００１９】
請求項８に係る本発明の折畳み型の小便器設置具は、請求項１〜請求項７のいずれかに係る本発明の折畳み型の小便器設置具の構成に加え、前記シート状の板状体はシート状の紙製の段ボールである。
【００２０】
請求項９に係る本発明の折畳み型の小便器設置具は、請求項１〜請求項３のいずれかに係る本発明の折畳み型の小便器設置具の構成に加え、前記一対の第一左右固定部及び前記第一中央固定部は、穴と切込とから形成したものである。
【発明の効果】
【００２１】
請求項１に係る本発明の折畳み型の小便器設置具は、左右方向中央に垂直の第一折り目が形成された前記一対の側壁部と、前記一対の側壁部の一方の側壁部の下端に水平の第二折り目を介して一体に形成された前記底部とが一つのシート状の板状体から形成されており、前記一対の側壁部の上下方向中間には、前記第一折り目を平面状に展開した状態で、円弧が下方に突出する円弧状の一対の第一帯状切れ目と、前記一対の第一帯状切れ目の左右端部の縦方向の一対の第三折り目と、前記一対の第一帯状切れ目及び前記一対の第三折り目により区画された第一帯状部と、前記第一帯状部の左右方向中央の垂直の第四折り目とが形成されており、前記底部と、前記一対の側壁部の他方の側壁部の下端部とは、第五折り目及び固着部により固着されているとともに、前記第五折り目及び固着部は、前記他方の側壁部の下端部又は前記他方の側壁部側における前記底部の端部に形成されており、前記底部は、前記第一折り目の下端から前記底部の角の二等分線上に折畳み用の第六折り目が形成されており、前記一対の第三折り目の上端部近傍における前記各側壁部に、合成樹脂製の尿収納袋の開口の一対の左右端部を挿通固定可能な一対の第一左右固定部と、前記第一左右固定部よりも上方における前記第一折り目近傍の前記側壁部に、前記尿収納袋の開口の中央部を挿通固定可能な第一中央固定部とを備えており、前記第一折り目、前記第二折り目、前記第三折り目及び前記第五折り目を谷折りとし、前記第四折り目を山折りとしたから、地震などの非常時に、待機施設に備蓄した折畳んだ状態からワンタッチで開いて尿収納袋をセットすれば小便器として使用できるのである。
したがって、折畳み型の小便器設置具の備蓄場所が明示されておれば、管理者でなくても誰でも簡単に小便器として使用可能に設置できるのである。
【００２２】
請求項２に係る本発明の折畳み型の小便器設置具は、左右方向中央に垂直の第一折り目が形成された前記一対の側壁部と、前記一対の側壁部の各下端に水平の第七折り目を介して一体に形成された一対の分割底部とが一つのシート状の段ボールから形成されており、前記一対の側壁部の上下方向中間には、前記第一折り目を平面状に展開した状態で、円弧が下方に突出する円弧状の一対の第一帯状切れ目と、前記一対の第一帯状切れ目の左右端部の縦方向の一対の第三折り目と、前記一対の第一帯状切れ目及び前記一対の第三折り目により区画された第一帯状部と、前記第一帯状部の左右方向中央の垂直の第四折り目とが形成されており、前記一対の分割底部は、一体に固着されて前記底部を形成しているとともに、前記第一折り目の下端から前記底部の角の二等分線上に折畳み用の第六折り目が形成されており、前記一対の第三折り目の上端部近傍における前記各側壁部に、合成樹脂製の尿収納袋の開口の一対の左右端部を挿通固定可能な一対の第一左右固定部と、前記第一左右固定部よりも上方における前記第一折り目近傍の前記側壁部に、前記尿収納袋の開口の中央部を挿通固定可能な第一中央固定部とを備えており、前記第一折り目、前記第三折り目及び前記第七折り目を谷折りとし、前記第四折り目を山折りとしたから、請求項１の折畳み型の小便器設置具とは、底部の構成が異なるのみで、請求項１の折畳み型の小便器設置具と同様に、地震などの非常時に、待機施設に備蓄した折畳んだ状態からワンタッチで開いて尿収納袋をセットすれば小便器として使用できるのである。
したがって、折畳み型の小便器設置具の備蓄場所が明示されておれば、管理者でなくても誰でも簡単に小便器として使用可能に設置できるのである。
【００２３】
請求項３に係る本発明の折畳み型の小便器設置具は、請求項１又は請求項２に係る本発明の折畳み型の小便器設置具の効果に加え、前記第一帯状部の下方における前記一対の側壁部には、前記第一折り目を平面状に展開した状態で、円弧が下方に突出する円弧状の一対の第二帯状切れ目と、前記一対の第二帯状切れ目の左右端部の縦方向の一対の第八折り目と、前記一対の第二帯状切れ目及び前記一対の第八折り目により区画された第二帯状部と、前記第二帯状部の左右方向中央の垂直の第九折り目とが形成されており、前記一対の第八折り目の前記側壁部における位置は、前記一対の第三折り目の前記側壁部における位置よりも前記第一折り目側としており、前記第二帯状部は、前記第九折り目を山折りとした状態で前記尿収納袋を案内可能としているから、尿収納袋を簡単で確実に小便器設置具に設置することができるのである。
【００２４】
請求項４に係る本発明の折畳み型の小便器設置具は、請求項１又は請求項２に係る本発明の折畳み型の小便器設置具の効果に加え、前記第一帯状部の下方における前記一対の側壁部には、前記第一折り目を平面状に展開した状態で、円弧が下方に突出する円弧状の一対の第二帯状切れ目と、前記一対の第二帯状切れ目の左右端部の縦方向の一対の第八折り目と、前記一対の第二帯状切れ目及び前記一対の第八折り目により区画された第二帯状部と、前記第二帯状部の左右方向中央の垂直の第九折り目とが形成されており、前記一対の第八折り目の上端部近傍における前記各側壁部に、前記尿収納袋の開口の一対の左右端部を挿通固定可能な一対の第二左右固定部と、前記第二左右固定部よりも上方における前記第一折り目近傍の前記側壁部に、前記尿収納袋の開口の中央部を挿通固定可能な第二中央固定部とを備えており、前記第八折り目を谷折りとし、前記第九折り目を山折りとし、前記一対の第三折り目を折らない状態として前記尿収納袋の開口を低い位置に調整可能としたから、小児用の小便器を1基の折畳み型の小便器設置具により形成することができるのである。
なお、小児用の小便器とする場合は、前記第一帯状部の第四折り目を前記一対の側壁部の第一折り目と一緒に谷折りとして第一帯状部を不使用とするのである。
【００２５】
請求項５に係る本発明の折畳み型の小便器設置具は、請求項１〜請求項４のいずれかに係る本発明の折畳み型の小便器設置具の効果に加え、前記一対の第三折り目の位置よりも内側下方における前記底部に、前記一対の側壁部の各下端を通る所定幅の一対の第一底部切れ目と、前記一対の第一底部切れ目の内方端部から直角方向の一対の第二底部切れ目と、前記一対の第二底部切れ目の当接点から外側方向の請求項１又は請求項２に記載の二等分線上に、第三底部切れ目と、前記第三底部切れ目の外側端部から前記一対の第二底部切れ目と平行に一対の第十折り目とを形成し、前記一対の第十折り目を谷折りとして前記底部に前記尿収納袋の下部を案内する下部案内部を形成可能としたから、尿収納袋の下端を簡単で確実に小便器設置具に位置させて設置することができるのである。
【００２６】
請求項６に係る本発明の折畳み型の小便器設置具は、請求項１〜請求項５のいずれかに係る本発明の折畳み型の小便器設置具の効果に加え、前記第一折り目及び前記第六折り目を折畳み、前記一対の側壁部を重ね合わせた状態で、前記一対の側壁部に水平の第十一折り目を形成したから、折り畳みを一層コンパクトに行うことができ、運搬などの取扱いや待機施設の備蓄を容易に行うことができるのである。
【００２７】
請求項７に係る本発明の折畳み型の小便器設置具は、請求項１〜請求項６のいずれかに係る本発明の折畳み型の小便器設置具の効果に加え、一対の側壁部は、前記第一折り目を角部として８０度〜１００度で立設されているから、制作が簡単で安定した状態で設置できるとともに、使用時の目隠しを確実にできるのである。
【００２８】
請求項８に係る本発明の折畳み型の小便器設置具は、請求項１〜請求項７のいずれかに係る本発明の折畳み型の小便器設置具の効果に加え、前記シート状の板状体はシート状の紙製の段ボールであるから、材料が安価で、制作が容易であり、非常時の使用後の焼却等の廃棄処理が容易である。
【００２９】
請求項９に係る本発明の折畳み型の小便器設置具は、請求項１〜請求項３のいずれかに係る本発明の折畳み型の小便器設置具の効果に加え、前記一対の第一左右固定部及び前記第一中央固定部は、穴と切込とから形成したから、尿収納袋の挿通固定が簡単で確実にできるのである。
【図面の簡単な説明】
【００３０】
【図１】本発明の第一の実施の形態に係る折畳み型の小便器設置具の正面図である。
【図２】図１の平面図である。
【図３】図２のＡ矢視図である。
【図４】本発明の第一の実施の形態に係る折畳み型の小便器設置具を平面状に展開した展開図である。
【図５】図１の拡大斜視図である。
【図６】本発明の第一の実施の形態に係る折畳み型の小便器設置具を折畳んだ状態を示す斜視図である。
【図７】本発明の第一の実施の形態に係る折畳み型の小便器設置具の第一使用例を示す正面側斜視図である。
【図８】本発明の第一の実施の形態に係る折畳み型の小便器設置具の第二使用例を示す正面側斜視図である。
【図９】本発明の第二の実施の形態に係る折畳み型の小便器設置具を平面状に展開した展開図である。
【図１０】本発明の第三の実施の形態に係る折畳み型の小便器設置具を平面状に展開した展開図である。
【図１１】本発明の第四の実施の形態に係る折畳み型の小便器設置具を平面状に展開した展開図である。
【図１２】本発明の第五の実施の形態に係る折畳み型の小便器設置具を平面状に展開した展開図である。
【図１３】本発明の第五の実施の形態に係る折畳み型の小便器設置具を折畳んだ状態を示す斜視図である。
【図１４】本発明の実施の形態に係る折畳み型の小便器設置具における尿収納袋の開口部を挿通固定可能な固定部の変形例（ａ）〜（ｄ）を示す図である。
【発明を実施するための形態】
【００３１】
以下、本発明の実施の形態を添付した図１〜図１４に基づき詳細に説明する。
図１〜図８は本発明の第一の実施の形態に係る図、図９は本発明の第二の実施の形態に係る図、図１０は本発明の第三の実施の形態に係る図、図１１は本発明の第四の実施の形態に係る図、図１２と図１３は本発明の第五の実施の形態に係る図及び図１４は本発明の実施の形態に係る尿収納袋の開口部を挿通固定可能な固定部の変形例を示す図である。
【００３２】
本発明の第一の実施の形態に係る折畳み型の小便器設置具を図１〜図８に基づいて説明する。
１は、厚さが５ｍｍの一つのシート状の板状体としての段ボール２から形成され、一辺が４０２ｍｍの正方形の底部３と、底部３の一つの直角部を挟んだ２辺から上方に立上る高さが１０００ｍｍの左側壁部４１と右側壁部４２とを有する一対の側壁部４とが形成された段ボールの折畳み型の小便器設置具である。
【００３３】
小便器設置具１は、図４の展開図に示すように、左右方向中央に垂直の第一折り目５１が形成された一対の側壁部４と、一対の側壁部４の一方の左側壁部４１の下端に水平の第二折り目５２を介して一体に形成された底部３とが一つのシート状の段ボール２から形成している。
なお、以下の図面において、第一〜第十一の折り目を記載するが、一点鎖線は山折りの折り目、二点鎖線は谷折りの折り目であり、複数の折り目であるときは複数の一点鎖線又は二点鎖線で表している。
【００３４】
シート状の段ボール２は、表面と裏面をＫ６ライナとし、中芯をＳ１２とした紙製の両面段ボールで、厚さが５ｍｍのＡフルートで形成しており、軽量で強度を有しており、小便器設置具１における内面側となるライナの外面を撥水処理している。
撥水処理は、水にパラフィンワックスとロジンとをそれぞれ数％含有する撥水剤を製作加工する前のシート状段ボール２に塗布することにより行っている。
【００３５】
一対の側壁部４の上下方向中間には、第一折り目５１を平面状に展開した状態で、円弧が下方に突出する上側半径が２００ｍｍ、下側半径が２１５ｍｍ、横幅が４００ｍｍの円弧状の一対の第一帯状切れ目７１ａと、一対の第一帯状切れ目７１ａの左右端部の縦方向の高さが１０５ｍｍの一対の第三折り目５３と、一対の第一帯状切れ目７１ａ及び一対の第三折り目５３により区画された第一帯状部７１と、第一帯状部７１の左右方向中央の垂直の高さが６０ｍｍの第四折り目５４とを形成している。
一対の側壁部４における一対の第三折り目５３の上端部の高さは６３５ｍｍとし、第四折り目５４の上端部の高さは５００ｍｍとしている。
【００３６】
また、前記底部３は、一対の側壁部４の他方の右側壁部４２の下端部に、第五折り目５５と接着剤を塗布するための切欠部４２ａを備えた固着部４２ｂとを形成しているとともに、第一折り目５１の下端から対角線となる底部３の角の二等分線上に折畳み用の第六折り目５６を形成している。
この固着部４２ｂに接着剤を塗布して、第一折り目５１及び第二折り目５２を谷折りにした状態で、底部３の裏面と右側壁部４２とを一体化して折畳み型の小便器設置具１に組立てるのである。
【００３７】
そして、前記一対の第三折り目５３の上端部近傍における左右側壁部４１、４２に、合成樹脂製の尿収納袋９の開口の一対の左右端部を挿通固定可能な丸穴と丸穴の下方の切込部とから形成された一対の第一左右固定部８１、８２と、第一左右固定部８１、８２よりも上方における第一折り目５１近傍の右側壁部４２に、尿収納袋９の開口の中央部を挿通固定可能な丸穴と丸穴の下方の切込部とから形成された第一中央固定部８３とを備えている。
なお、尿収納袋９は、たとえば、厚さが０．０２５ｍｍ、横幅が６５０ｍｍ、高さが８００ｍｍで黒色であり、材質をポリエチレンとしたものを使用するのである。
【００３８】
さらに、第一帯状部７１の下方における一対の側壁部４には、第一折り目５１を平面状に展開した状態で、上側半径が２１２ｍｍ、下側半径が２４３ｍｍ、横幅が３６０ｍｍの円弧が下方に突出する円弧状の一対の第二帯状切れ目７２ａと、一対の第二帯状切れ目７２ａの左右端部の縦方向の高さが８５ｍｍの一対の第八折り目５８と、一対の第二帯状切れ目７２ａ及び一対の第八折り目５８により区画された第二帯状部７２と、第二帯状部７２の左右方向中央の垂直の高さが６０ｍｍの第九折り目５９とを形成している。
一対の側壁部４における一対の第八折り目５８の上端部の高さは３８５ｍｍとし、第九折り目５９の上端部の高さは３００ｍｍとしている。
【００３９】
このように、一対の第八折り目５８の左右側壁部４１、４２における位置は、一対の第三折り目５３の左右側壁部４１、４２における位置よりも第一折り目５１側として、図７の第一使用例に示すように、第二帯状部７２を、第九折り目５９を山折りとした状態で尿収納袋９を案内可能としている
また、一対の第三折り目５３の位置よりも内側下方における底部３に、一対の側壁部４の各下端を通る幅が５０ｍｍの一対の第一底部切れ目３１と、一対の第一底部切れ目３１の内方端部から直角方向の一対の第二底部切れ目３２と、一対の第二底部切れ目３２の当接点から外側方向の対角線となる二等分線上の底部３に、第三底部切れ目３３と、第三底部切れ目３３の外側端部から一対の第二底部切れ目３２と平行に一対の第十折り目６０とを形成している。
【００４０】
そして、一対の第十折り目６０を谷折りとして底部３に５０ｍｍ立ち上げた状態で尿収納袋９の下部を案内する下部案内部３４を形成している。
前記一対の第八折り目５８の上端部近傍における左右側壁部４１、４２に、尿収納袋９の開口の一対の左右端部を挿通固定可能な四角穴と四角穴の下方の切込部とから形成された一対の第二左右固定部８４、８５と、第二左右固定部８４、８５よりも上方における前記第一折り目５１近傍の右側壁部４２に、尿収納袋９の開口の中央部を挿通固定可能な四角穴と四角穴の下方の切込部とから形成された第二中央固定部８６とを備えている。
【００４１】
そして、一対の第八折り目５８を谷折りとし、第九折り目５９を山折りとし、一対の第三折り目５３を折らない状態として、図８の第二使用例に示すように、尿収納袋９の開口を、低い位置に調整可能としている。
したがって、１基の折畳み型の小便器設置具１により、図７の第一使用例に示す尿収納袋９の開口位置を高くした一般用と、図８の第二使用例に示す尿収納袋９の開口位置を低くした小児用とに兼用できるのである。
【００４２】
また、一対の側壁部４には、６３５ｍｍの高さ位置に水平に第十一折り目６１（左側壁４１の山折りの第十一折り目６１ａ、右側壁４２の谷折りの第十一折り目６１ｂ）を形成している。
そして、図６（ａ）〜（ｃ）に示すように、折畳み型の小便器設置具１は、第一折り目５１、第二折り目５２、第五折り目５５及び第六折り目５６を折畳んで、一対の側壁部４を重ね合わせた状態で、第十一折り目６１を折畳むことにより、備蓄用の包装箱に入った状態で、奥行が４５０ｍｍのキャビネット内に保管可能に、コンパクトにして備蓄できるようにしている。
【００４３】
この折畳み状態では、一対の第三折り目５３、第四折り目５４、一対の第八折り目５８、第九折り目５９及び一対の第十折り目６０を折畳んでいる。
なお、図７及び図８において、９１は備品袋であり、備品袋９１には一つの尿収納袋９と、５つの凝固剤と、一双の合成樹脂製手袋とが収納され、右側壁部４２の上端に形成した切込により備品袋固定部９２を形成している。
【００４４】
また、折畳み型の小便器設置具１は、備蓄用の包装箱（図示せず）に、折畳んだ状態の１基の小便器設置具１と、１枚の尿収納袋９、５つの凝固剤及び一双の手袋を収納した１０セットの備品袋９１とを収納している。
非常時に折畳み型の小便器設置具１を使用する場合、包装箱から折畳んだ状態の１基の小便器設置具１を取出して、設置場所で開けばｐｏｐ−ｕｐ（飛出し）式に図５の状態となり、取扱説明記載部２１に沿って１セットの備品袋９１から尿収納袋９を取出して、図７又は図８のように取付けるとともに、備品袋９１を備品袋固定部９２に固定するのである。
【００４５】
そして、５人の男性が用をたすと、５人目の男性が取扱説明記載部２１に沿って、処理するとともに、近くに置かれた包装箱から順次新しい備品袋９１を取出して使用し、５０人の男性が用をたすと、５０人目の男性が廃棄するのである。
また、折畳み型の小便器設置具１の製作は、撥水処理が施された１枚のシート状の段ボール２に取扱説明記載部２１の印刷と、第十一折り目６１の黒色塗りつぶし印刷とを行い、金型にセットしてすべての必要な折り目、切れ目、切欠部、固定部等をプレス成型し、次に、固着部４２ｂに接着剤を塗布して固着して、図６に示すように折畳むのである。
【００４６】
なお、プレス成型の金型は、外形の端面、切れ目などをウエーブカットできるようにして折畳み型の小便器設置具１の取扱い時に手に傷がつかないようにするのである。
次に、第二の実施の形態を図９に示す展開図に基づいて説明する。
【００４７】
第二の実施の形態は、第一の実施の形態における底部３を一対の側壁部４の左側壁部４１の下端に水平の第二折り目５２を介して一体に形成した構成から、底部３を対角線となる二等分線上で分割した構成に替えた点と一対の分割底部を固着した構成とが異なるのみであり、他の構成については第一の実施の形態と同様であり、以下、底部３における第一の実施の形態と異なる構成についてのみ説明する。
小便器設置具１は、左右方向中央に垂直の第一折り目５１が形成された一対の側壁部４と、一対の側壁部４の各下端に水平の一対の第七折り目５７を介して一体に形成された一対の分割底部３ａ、３ｂとが一つのシート状の段ボール２から形成している。
【００４８】
右分割底部３ｂは、二等分線上の分割部を延長した位置に切欠部３ｃを備えた固着部３ｄを形成して一対の分割底部３ａ、３ｂを固着して底部３を形成しているとともに、第一折り目５１の下端から二等分線上に折畳み用の第六折り目（図示せず）を形成するのである。
次に、第三の実施の形態を図１０に示す展開図に基づいて説明する。
【００４９】
第三の実施の形態は、第一の実施の形態における一対の側壁部４を第一折り目５１を角部として９０度で立設していた構成から、１００度で立設する構成に替えた点が異なるのみであり、他の構成については第一の実施の形態と同様であり、以下、１００度に立設する構成についてのみ説明する。
一対の側壁部４を１００度で立設するために、図１０に示すように、底部３の右側辺が一対の側壁部４の下端に対し１００度となるように形成するのである。
【００５０】
次に、第四の実施の形態を図１１に示す展開図に基づいて説明する。
第四の実施の形態は、第一の実施の形態における一対の側壁部４を第一折り目５１を角部として９０度で立設していた構成から、８０度で立設する構成に替えた点が異なるのみであり、他の構成については第一の実施の形態と同様であり、以下、８０度に立設する構成についてのみ説明する。
【００５１】
一対の側壁部４を８０度で立設するために、図１１に示すように、底部３の右側辺が一対の側壁部４の下端に対し８０度となるように形成するのである。
次に、第五の実施の形態を図１２に示す展開図及び図１３に示す折畳んだ状態の図に基づいて説明する。
【００５２】
第五の実施の形態は、第一の実施の形態における折畳み状態を替えた構成が異なるのみであり、他の構成については第一の実施の形態と同様であり、以下、折り畳み構成についてのみ説明する。
図１２において、一対の側壁部４における下方部には水平の第十二折り目６２、すなわち、左側壁部４１には山折りの第十二折り目６２ａ、右側壁部４２には谷折りの第十二折り目６２ｂを形成し、底部３の二等分線上の第六折り目５６を谷折りとするのである。
【００５３】
そして、図１３に示すように、一対の側壁部４を重ね合わせた状態で、第十一折り目６１及び第十二折り目６２をそれぞれ折畳むことにより、第一の実施の形態よりもさらにコンパクトに折畳んで備蓄できるようにしている。
以上の実施の形態では、紙製のシート状の段ボールを用いたが、紙製に替えてプラスチック製のシート状の段ボールでもよく、段ボールに替えて凹凸加工のポリプロピレン製のシート状の板状体でもよく、中芯にリブやハニカム形状の補強をしたポリプロピレン製のシート状の板状体でもよい。
【００５４】
また、以上の実施形態では、第二帯状部を形成して、尿収納袋の案内部としたり、尿収納袋の開口位置を調節可能としたりしたが、第二帯状部を省略してもよい。
以上の実施の形態では、一対の側壁部を重ね合わせて水平の折り目で折畳むようにしたが、水平の折り目にすることなく、一対の側壁部を折畳むとともに底部を二等分線上で折畳むようにしてもよい。
【００５５】
また、以上の実施の形態では、左右固定部及び中央固定部は、穴と切込とから形成したが、図１４（ａ）〜（ｄ）に示すように、各種切込８７ａ〜８７ｄにしてもよい。
以上の実施の形態（第二の実施の形態を除く）では、底部３と、右側壁部４２の下端部との固着を、右側壁部４２の下端部に形成した第五折り目５５及び固着部４２ｂにより行うようにしたが、右側壁部４２における底部３の端部に形成した第五折り目及び固着部に替えてもよい。
【００５６】
図示は省略するが、右側壁部４２の下端部との固着位置が、以上の実施の形態（第二の実施の形態を除く）では、底部３の端部であったのが、右側壁部４２の下端となるのである。
以上の実施の形態では、尿収納袋に用をたすごとに凝固剤を投入するようにしたが、凝固材に替えて、尿収納袋に消臭剤、殺菌剤、高吸水性高分子から形成された高吸水性樹脂や高分子吸収体を収納するようにしてもよい。
【００５７】
また、以上の実施の形態では、一対の側壁部の角度を８０度、９０度、１００度の場合を説明したが、目隠しとなり、かつ、自立性が確実な範囲であれば８０度〜１００度を外れてもよい。
以上の実施の形態では、底部は矩形状としたが、一対の側壁部の下端を二辺とした扇状、多角形状などでもよい。
【００５８】
また、以上の実施の形態では、具体的な数値や材質をあげて説明したが、これらは、折畳み型の小便器設置具として、要求される仕様などにより、適宜設計すればよいのである。
【符号の説明】
【００５９】
１  折畳み型の小便器設置具
２  シート状の段ボール（シート状の板状体）
３  底部
３ａ、３ｂ  一対の分割底部
３４  下部案内部
４  一対の側壁部
４１  左側壁部
４２  右側壁部
４２ｂ  固着部
５１〜６１  第一折り目〜第十一折り目
７１ａ  一対の第一帯状切れ目
７２  第二帯状部
７２ａ  一対の第二帯状切れ目
８１〜８６  固定部
９  尿収納袋
【図１】
0006335952.tif 000002
【図２】
0006335952.tif 000003
【図３】
0006335952.tif 000004
【図４】
0006335952.tif 000005
【図５】
0006335952.tif 000006
【図６】
0006335952.tif 000007
【図７】
0006335952.tif 000008
【図８】
0006335952.tif 000009
【図９】
0006335952.tif 000010
【図１０】
0006335952.tif 000011
【図１１】
0006335952.tif 000012
【図１２】
0006335952.tif 000013
【図１３】
0006335952.tif 000014
【図１４】
0006335952.tif 000015